(57)【特許請求の範囲】
【請求項１】
入力エネルギを電気信号に変換する変換素子と、
前記変換素子の出力信号を入力信号として無線送信する送信回路と、
前記入力信号を全波整流し前記送信回路に供給する電源回路と、
一次コイル及び二次コイルを備えるトランスと、を備え、
前記変換素子と前記電源回路とを接続する信号線路であって前記入力信号を前記変換素子から前記電源回路に与えるための第１信号線路と、前記入力信号を送信信号として前記送信回路に与える第２信号線路とが、前記第１信号線路が前記一次コイルに接続され、前記第２信号線路が前記二次コイルに接続されることによって、前記トランスによって電気的に絶縁されている
送信機。
【請求項２】
前記送信回路は、前記入力信号をアナログ変調して無線送信する
請求項１に記載の送信機。
【請求項３】
前記変換素子が出力する前記出力信号が与えられる出力端子に接続可能とされ、前記出力端子に接続されて前記出力信号を前記入力信号として受け付ける接続端子をさらに備えている
請求項１又は２に記載の送信機。
【請求項４】
前記接続端子は、複数の前記変換素子からの前記出力信号が与えられる前記出力端子に接続可能とされるとともに、複数の前記変換素子からの前記出力信号それぞれを前記入力信号として受け付け、
前記送信回路、及び前記電源回路は、複数の前記変換素子に対応して、複数設けられている
請求項３に記載の送信機。
【請求項５】
前記変換素子は、演奏動作によって電子楽器に入力される入力エネルギを電気信号に変換する変換素子であり、
前記送信回路、及び前記電源回路は、前記電子楽器の内部に設けられている
請求項１〜請求項３のいずれか一項に記載の送信機。
【請求項６】
振動エネルギを電気信号に変換する変換素子と、
前記変換素子の出力信号を入力信号として無線送信する送信回路と、
前記入力信号を全波整流し前記送信回路に供給する電源回路と、
一次コイル及び二次コイルを備えるトランスと、を備え、
前記変換素子と前記電源回路とを接続する信号線路であって前記入力信号を前記変換素子から前記電源回路に与えるための第１信号線路と、前記入力信号を送信信号として前記送信回路に与える第２信号線路とが、前記第１信号線路が前記一次コイルに接続され、前記第２信号線路が前記二次コイルに接続されることによって、前記トランスによって電気的に絶縁されている
送信機。
【請求項７】
請求項６に記載の送信機と、
前記送信機が送信する無線信号を受信して得た受信信号から前記出力信号を取得し、取得した前記出力信号を当該出力信号に基づいて楽器音を表す信号を生成する音源装置に与える受信機と、を備えている
通信システム。
【請求項８】
演奏動作による入力を電気信号に変換する変換素子を備えた電子楽器と、前記変換素子が出力する出力信号に基づいて楽器音を表す信号を生成する音源装置との間の通信システムであって、
前記変換素子が出力する前記出力信号が入力信号として与えられる請求項１に記載の送信機と、
前記送信機が送信する無線信号を受信して得た受信信号から前記出力信号を取得して前記音源装置に与える受信機と、を備えている
通信システム。
【請求項９】
前記電子楽器は複数であり、
前記送信機は、複数の前記電子楽器に対応して複数であり、
前記受信機は、前記受信信号から複数の前記送信機それぞれに対応する複数の前記出力信号を分離する分離部と、複数の前記出力信号を前記音源装置に出力する複数の出力端子と、を備えている
請求項８に記載の通信システム。
【請求項１０】
前記送信機の前記送信回路は、互いに異なる周波数を用いて無線送信を行い、
前記分離部は、前記受信信号から複数の前記送信機それぞれに対応する複数の前記出力信号を周波数分離するとともに、複数の前記出力信号を前記複数の出力端子の内のいずれの出力端子から出力するかを、前記出力信号の周波数に応じて切り替える請求項９に記載の通信システム。
【請求項１１】
前記分離部は、前記出力信号の周波数、及び前記複数の出力端子を特定するための情報が関連付けて登録されたテーブルを記憶しており、このテーブルに基づいて複数の前記出力信号を前記複数の出力端子の内のいずれの出力端子から出力するかを切り替える請求項１０に記載の通信システム。
【発明の詳細な説明】
【技術分野】
【０００１】
本発明は、信号を無線送信するための送信機、及びこれを用いた通信システムに関する。
【背景技術】
【０００２】
下記特許文献１には、打撃によって生じる打面の振動をセンサにより検知し、打撃振動に応じた電子音を出力するための電子ドラムパッドが開示されている。電子ドラムパッドは、打撃振動に応じた出力信号を音源装置に与える。音源装置は、出力信号に基づいて打撃振動に応じた音を出力する。
【０００３】
電子ドラムパッドは、打撃振動を検知するためのセンサとして圧電素子を備えている。圧電素子には、音源装置に検知信号を与えるための信号線が設けられている。つまり、音源装置に出力信号を与えるためには、電子ドラムパッドと、音源装置とを信号線によって接続し、両者の間で検知信号の送受信を行うことができるようにする必要がある。
【先行技術文献】
【特許文献】
【０００４】
【特許文献１】特開平９−２４４６３３号公報
【発明の概要】
【発明が解決しようとする課題】
【０００５】
上記電子ドラムパッドは、当該電子ドラムパッドを複数（例えば、１０台程度）組み合わせることでドラムセットとして用いられることがある。この場合、複数の電子ドラムパッドそれぞれから延びる信号線の全てを音源装置に接続する必要がある。このため、ドラムセットとして組み立てたり、分解したりする際には、多数の信号線を接続したり外したりしなければならず、信号線の配線作業が煩雑となるという問題を有していた。
【０００６】
上記問題に対して、電子ドラムパッドと音源装置との間で、無線通信によって出力信号の送受信を行わせることが考えられる。検知信号の送受信を無線通信によって行えば、信号線の配線作業を無くすことができる。
ただしこの場合、電子ドラムパッド側において無線送信のための電力が必要となる。電子ドラムパッド側において無線送信のための電力を確保するためには、電子ドラムパッドそれぞれに蓄電池を設けることが考えられる。
【０００７】
しかし、蓄電池を設ける場合、蓄電池の充電や交換等のメンテナンスが必要となる。すなわち、信号線の配線作業を省略することはできるが、各電子ドラムパッドについてメンテナンス作業が必要となってしまう。このため、各電子ドラムパッドに蓄電池を設ける方策を採ることは好ましくない。
【０００８】
そこで、電子ドラムパッドからの出力信号を電力として利用することが考えられる。
この場合、出力信号は、送信対象の信号として送信機に与えられるとともに、整流されて電力として送信機に与えられる。
このとき、出力信号は電子ドラムパッドの打撃振動を表しているが、出力信号を整流した信号は、電子ドラムパッドが打撃振動したことは示しているが、電子ドラムパッドの打撃振動そのものを精度よく表すものではなく、出力信号を整流した信号を出力信号として送信したとしても、電子ドラムパッドの打撃振動を精度よく表した信号を送信することはできない。
【０００９】
また、電子ドラムパッドからの出力信号を直接的に送信対象の信号として送信機に与えようとすると、出力信号の信号源を送信機と同様に接地させる必要があるが、この場合、出力信号を全波整流できず電源としての効率を低下させてしまうため、好ましくない。
【００１０】
本発明はこのような事情に鑑みてなされたものであり、精度のよい信号を送信することができる技術を提供することを目的とする。
【課題を解決するための手段】
【００１１】
（１）本発明に係る送信機は、入力信号を無線送信する送信回路と、前記入力信号を全波整流し前記送信回路に供給する電源回路と、を備え、前記入力信号を当該入力信号の信号源から前記電源回路に与えるための第１信号線路と、前記入力信号を送信信号として前記送信回路に与える第２信号線路とが、電気的に絶縁されており、前記第１信号線路により伝送される前記入力信号を電気的に絶縁した前記第２信号線路に伝送する信号伝送部をさらに備えている。
【００１２】
上記のように構成された送信機によれば、第１信号線路を伝送する入力信号を電気的に絶縁した第２信号線路に伝送する信号伝送部を備えているので、電源回路が第１信号線路を伝送する入力信号を全波整流するのとは関係なく、送信信号としての入力信号を第２信号線路を通じて送信回路に与えることができる。この結果、精度のよい入力信号を送信することができる。
【００１３】
（２）上記送信機において、前記送信回路は、前記入力信号をアナログ変調して無線送信することが好ましい。
この場合、例えば、デジタル変調によって無線送信する場合と比較して、入力信号の無線送信に伴う変復調等の処理による遅延をできるたけ抑圧することができる。さらに、入力信号の変調に要する消費電力についてもデジタル変調によって無線送信する場合と比較して抑圧することができる。
【００１４】
（３）また、上記送信機において、電源回路によって電力の生成に用いられる前記入力信号は、入力エネルギを電気信号に変換する変換素子が出力した出力信号であることが好ましい。
【００１５】
（４）上記送信機において、前記変換素子が出力する前記出力信号が与えられる出力端子に接続可能とされ、前記出力端子に接続されて前記出力信号を前記入力信号として受け付ける接続端子をさらに備えていてもよい。
この場合、接続端子によって出力端子を備えた機器に接続することが可能となり、当該機器が備えている変換素子が出力する出力信号を入力信号として受け付けて電力とするとともに、出力信号を無線送信することができる。
よって、送信機は、信号を送信する機能を有していない機器に接続されれば、本来信号を無線送信することができない当該機器が出力する出力信号を無線送信することができる。
【００１６】
（５）また、前記接続端子が、複数の前記変換素子からの前記出力信号が与えられる前記出力端子に接続可能とされるとともに、複数の前記変換素子からの前記出力信号それぞれを前記入力信号として受け付ける場合、前記取出部、前記送信回路、及び前記電源回路は、複数の前記変換素子に対応して、複数設けられていることが好ましい。
この場合、接続端子が受け付けた複数の変換素子からの出力信号それぞれを電力とするとともに、複数の出力信号を無線送信することができる。
【００１７】
（６）また、前記入力信号が、演奏動作によって電子楽器に入力される入力エネルギを電気信号に変換する変換素子が出力する出力信号である場合、前記取出部、前記送信回路、及び前記電源回路は、前記電子楽器の内部に設けられていることが好ましい。
【００１８】
（７）また、本発明に係る送信機は、振動エネルギを電気信号に変換する変換素子と、前記変換素子の出力信号を入力信号として無線送信する送信回路と、前記入力信号を全波整流し前記送信回路に供給する電源回路と、を備え、前記入力信号を当該入力信号の信号源から前記電源回路に与えるための第１信号線路と、前記入力信号を送信信号として前記送信回路に与える第２信号線路とが、電気的に絶縁されており、前記第１信号線路により伝送される前記入力信号を電気的に絶縁した前記第２信号線路に伝送する信号伝送部をさらに備えている。
【００１９】
（８）また、本発明に係る通信システムは、上記（７）の送信機と、前記送信機が送信する無線信号を受信して得た受信信号から前記出力信号を取得し、取得した前記出力信号を当該出力信号に基づいて楽器音を表す信号を生成する音源装置に与える受信機と、を備えている。
【００２０】
（９）また、本発明は、演奏動作による入力を電気信号に変換する変換素子を備えた電子楽器と、前記変換素子が出力する出力信号に基づいて楽器音を表す信号を生成する音源装置との間の通信システムであって、前記変換素子が出力する前記出力信号が入力信号として与えられる上記（１）に記載の送信機と、前記送信機が送信する無線信号を受信して得た受信信号から前記出力信号を取得して前記音源装置に与える受信機と、を備えている。
上記構成の通信システムによれば、第１信号線路を伝送する入力信号を電気的に絶縁した状態で第２信号線路に伝送する信号伝送部を備えているので、電源回路が第１信号線路を伝送する入力信号を全波整流するのとは関係なく、入力信号を送信信号として送信回路に与えることができる。この結果、精度のよい入力信号を送信することができ、精度のよい信号の送受信を行うことができる。
【００２１】
（１０）上記通信システムにおいて、前記電子楽器は複数であり、前記送信機は、複数の前記電子楽器に対応して複数であり、前記受信機は、前記受信信号から複数の前記送信機それぞれに対応する複数の前記出力信号を分離する分離部と、複数の前記出力信号を前記音源装置に出力する複数の出力端子と、を備えていてもよい。
この場合、分離部が、受信信号から複数の送信機の出力信号を分離するので、複数の送信機に対応する電子楽器ごとの出力信号を音源装置に与えることができる。この結果、音源装置に電子楽器ごとの電子音を発生させることができる。
【００２２】
（１１）また、上記通信システムにおいて、前記送信機の前記送信回路は、互いに異なる周波数を用いて無線送信を行い、前記分離部は、前記受信信号から複数の前記送信機それぞれに対応する複数の前記出力信号を周波数分離するとともに、複数の前記出力信号を前記複数の出力端子の内のいずれの出力端子から出力するかを、前記出力信号の周波数に応じて切り替えるように構成してもよい。
この場合、複数の送信機それぞれに対応する出力信号を周波数分離することによって容易に分離できる。また、出力信号を出力する出力端子を複数の送信機ごとに区別して容易に割り振ることができる。
【００２３】
（１２）また、前記分離部が、前記出力信号の周波数、及び前記複数の出力端子を特定するための情報が関連付けて登録されたテーブルを記憶している場合、このテーブルに基づいて複数の前記出力信号を前記複数の出力端子の内のいずれの出力端子から出力するかを切り替えることが好ましい。
この場合、上記テーブルを変更すれば、各送信機８が送信する出力信号を出力させる出力端子の変更が容易となる。
【発明の効果】
【００２４】
本発明によれば、精度のよい信号を送信することができる。
【図面の簡単な説明】
【００２５】
【図１】第１実施形態に係る通信システムを含んだ電子ドラムセットの全体構成を示す図である。
【図２】出力ジャック及び送信機の部分を示した拡大図である。
【図３】送信部の一例を示すブロック図である。
【図４】（ａ）は、ドラムパッド５の打撃振動により圧電素子が出力する出力信号の波形の一例を示す図であり、（ｂ）は、図４（ａ）に示す出力信号を整流回路が整流した後の波形の一例を示す図である。
【図５】シリーズレギュレータが出力する直流電力の波形の一例を示す図である。
【図６】受信機の一例を示すブロック図である。
【図７】分離部の構成を示すブロック図である。
【図８】切替部が記憶しているテーブルの一例を示す図である。
【図９】電子ドラムの圧電素子が出力信号を出力してから、受信機が出力信号を出力するまでの遅延時間を測定した結果の一例を示す図である。
【図１０】第１実施形態の変形例に係る送信機を示す図である。
【図１１】第２実施形態に係る通信システムを含んだ防犯装置を示す図である。
【発明を実施するための形態】
【００２６】
以下、好ましい実施形態について図面を参照しつつ説明する。
〔第１実施形態について〕
〔システムの全体構成について〕
図１は、第１実施形態に係る通信システムを含んだ電子ドラムセットの全体構成を示す図である。図１中、電子ドラムセット１は、複数の電子ドラム２等の打楽器を一人の奏者が演奏可能に配置されるものであり、複数の電子ドラム２の他、シンセサイザ３と、スピーカ４とを備えている。
【００２７】
電子ドラム２は、円形板状のドラムパッド５と、ドラムパッド５に対する打撃を電気信号（電圧信号）に変換する圧電素子６を備えている。ドラムパッド５は、その表面５ａが打面を構成しており、表面５ａが奏者によって打撃される。
圧電素子６は、ドラムパッド５の裏面側に設けられており、ドラムパッド５に生じる打撃振動によって発電し、発電した電気信号を出力信号として出力する。圧電素子６は、例えば、ピエゾ素子を用いて構成される。
ドラムパッド５は、奏者によるドラムパッド５に対する打撃動作（演奏動作）によって振動する。圧電素子６はこの打撃振動に応じて出力信号を出力する。よって、圧電素子６は、奏者によるドラムパッド５に対する打撃動作に応じて出力信号を出力する。
つまり、圧電素子６は、打撃動作によってドラムパッド５に入力される入力エネルギ（振動エネルギ）を電気信号に変換する変換素子を構成している。
【００２８】
圧電素子６は、一つのドラムパッド５に対して２つ設けられている。一つのドラムパッド５に設けられている２つの圧電素子６の内、一方は、ドラムパッド５のほぼ中央に設けられており、ドラムパッド５の中央部に生じる打撃振動に応じた出力信号を出力する。また、他方の圧電素子６は、ドラムパッド５の縁部に設けられており、ドラムパッド５の縁部に生じる打撃振動に応じた出力信号を出力する。
【００２９】
電子ドラム２は、さらに出力端子である出力ジャック７を備えている。出力ジャック７は、信号線を介して２つの圧電素子６に接続されており、２つの圧電素子６からの出力信号が与えられる。
出力ジャック７には、送信機８が接続されている。送信機８は、出力ジャック７に与えられる圧電素子６からの出力信号を受け付けて無線送信する機能を有している。
【００３０】
図２は、出力ジャック７及び送信機８の部分を示した拡大図である。図２は、複数の電子ドラム２の内の一つである電子ドラム２ａ（図１）における拡大図を示している。なお、他の電子ドラム２についても、電子ドラム２ａと同様の構成とされている。
【００３１】
送信機８は、電子ドラム２の外部に取り付けられている。送信機８は、基板９上に実装されている２つの送信部１２（１２ａ、１２ｂ）を備えている。２つの送信部１２の内、一方の送信部１２ａは、圧電素子６ａからの出力信号が与えられ、他方の送信部１２ｂは、圧電素子６ｂからの出力信号が与えられる。
両送信部１２は、互いに異なる圧電素子６から出力信号が与えられて無線送信を行う。よって、両送信部１２は、互いに異なる信号について無線送信を行う。
【００３２】
基板９には、接続端子である接続プラグ１０が設けられている。接続プラグ１０は、出力ジャック７に設けられている孔部７ａに差し込むことができるように形成されている。
送信機８は、接続プラグ１０が出力ジャック７の孔部７ａに差し込まれることで、電子ドラム２の外部に取り付けられる。
接続プラグ１０には、両送信部１２が接続されている。両送信部１２は、接続プラグ１０が出力ジャック７の孔部７ａに差し込まれることで、出力ジャック７に接続される。
接続プラグ１０は、出力ジャック７を通じて２つの圧電素子６からの出力信号を受け付け、２つの圧電素子６からの出力信号を２つの送信部１２に与える。
出力ジャック７及び接続プラグ１０は、圧電素子６ａと、送信部１２ａとを接続するとともに、圧電素子６ｂと、送信部１２ｂとを接続する。
【００３３】
このように接続プラグ１０は、出力ジャック７に接続可能とされ、圧電素子６ａ、６ｂから出力され出力ジャック７に与えられる出力信号を受け付ける。
接続プラグ１０が受け付けた出力信号は、入力信号として送信機８（両送信部１２）によって処理され、無線送信される。
【００３４】
図１に戻って、シンセサイザ３は、外部から与えられる信号に応じて音を生成する音源装置としての機能を有している。シンセサイザ３には、送信機８が無線送信する無線信号を受信する受信機１１が接続されている。
受信機１１は、送信機８からの無線信号を受信し、この受信した受信信号に対して増幅や復調等の無線通信に関する処理を行い、前記受信信号から電子ドラム２（送信部１２）からの出力信号を取得し、取得した出力信号をシンセサイザ３に与える。
つまり、送信機８及び受信機１１は、電子ドラム２が出力する出力信号を無線通信によってシンセサイザ３に与える。
【００３５】
シンセサイザ３は、送信機８及び受信機１１を介して与えられる電子ドラム２からの出力信号に基づいて楽器音を表す楽器音信号を生成する。
シンセサイザ３は、生成した楽器音信号をスピーカ４に与える。スピーカ４は、与えられた楽器音信号に基づいて楽器音を出力する。
【００３６】
電子ドラム２の出力信号は、上述のように、奏者による打撃動作によって生じるドラムパッド５の打撃振動に応じて出力される。つまり、奏者がドラムパッド５を打撃し演奏すれば、電子ドラム２はその演奏動作に応じて出力信号を出力する。出力信号は、送信機８及び受信機１１を通じてシンセサイザ３に与えられる。シンセサイザ３は、ドラムパッド５への打撃に応じて楽器音信号を生成し、スピーカ４は楽器音信号より楽器音を出力する。
以上のようにしてドラムセット１は、演奏による楽器音をスピーカ４から出力する。
【００３７】
また、送信機８及び受信機１１は、電子楽器である電子ドラム２と、音源装置であるシンセサイザ３との間を無線通信によって接続する通信システムを構成している。
【００３８】
〔通信システムの構成について〕
図３は、送信部１２の一例を示すブロック図である。なお、図３では、一つの送信部１２に着目して説明するが、他の送信部１２も同様の構成である。
図３に示すように、送信部１２は、分離回路１５と、シリーズレギュレータ１６と、送信回路１７と、送信アンテナ１８とを備えている。
【００３９】
分離回路１５は、圧電素子６から与えられる出力信号を電力として送信回路１７に与えるための信号と、送信対象の信号である送信信号として送信回路１７に与えるための信号とに分離する機能を有している。
【００４０】
分離回路１５は、トランス２０と、整流回路２１とを備えている。
整流回路２１は、ダイオードブリッジによる全波整流回路により構成されており、圧電素子６の出力信号を整流し、整流した信号を送信回路１７に電力として供給する電源回路としての機能を有している。
整流回路２１の入力端２１ａ、２１ｂは、第１信号線路２７によって圧電素子６の両端に接続されている。整流回路２１には、第１信号線路２７を通じて、出力信号の信号源である圧電素子６の出力信号が入力信号として与えられる。整流回路２１の出力端２１ｃ、２１ｄの内、一方の出力端２１ｃは、シリーズレギュレータ１６に接続されている。また、他方の出力端２１ｄは、接地されている。整流回路２１は、生成した直流電力をシリーズレギュレータ１６に与える。
【００４１】
図４（ａ）は、ドラムパッド５の打撃振動により圧電素子６が出力する出力信号の波形の一例を示す図であり、図４（ｂ）は、図４（ａ）に示す出力信号を整流回路２１が整流した後の波形の一例を示す図である。図４（ａ）、（ｂ）において、縦軸は電圧、横軸は時間を示している。
圧電素子６の出力信号は、図４（ａ）に示すように電圧が正負に変化しているが、図４（ｂ）に示すように、整流回路２１によって整流されていることが判る。
【００４２】
図３に戻って、シリーズレギュレータ１６は、分離回路１５により分離され整流された信号を一定電圧に調整し、送信回路１７に与える。シリーズレギュレータ１６は、送信回路１７に与える電力として設定された所定電圧となるように、整流された信号の電圧を調整する。
例えば、本実施形態のシリーズレギュレータ１６は、約１．８Ｖに調整された信号を送信回路１７に与える。
【００４３】
図５は、シリーズレギュレータ１６が出力する信号波形の一例を示す図である。図５において、縦軸は電圧、横軸は時間を示している。
図５に示すように、シリーズレギュレータ１６は、約１．８Ｖでほぼ一定電圧の信号を出力できることが判る。
【００４４】
図３に戻って、トランス２０は、第１信号線路２７によって伝送される圧電素子６の出力信号を電気的に絶縁した状態で取得し、送信回路１７に与える機能を有している。
トランス２０の一次コイルの両端は、圧電素子６の両端に接続されている。一次コイルには、圧電素子６の出力信号が入力信号として印加される。トランス２０の二次コイルは、一端が第２信号線路２２によって送信回路１７に接続され、他端が接地されている。一次コイルに圧電素子６からの出力信号が与えられると、トランス２０の二次コイルは、その出力信号に応じて、０Ｖを基準として変圧された出力信号を出力する。
トランス２０は、変圧した出力信号を第２信号線路２２に伝送して送信回路１７に与える。
【００４５】
ここで、圧電素子６と整流回路２１とを接続し出力信号を整流回路２１に与えるための第１信号線路２７と、出力信号を送信信号として送信回路１７に与えるための第２信号線路２２とは、電気的に絶縁されており、トランス２０は、第１信号線路２７により伝送される出力信号を電気的に絶縁した第２信号線路２２に伝送する。
このため、整流回路２１が第１信号線路２７を伝送する圧電素子６の出力信号（入力信号）を全波整流するのとは関係なく、送信信号としての出力信号を第２信号線路２２を通じて送信回路１７に与えることができる。つまり、第２信号線路２２及び送信回路１７は、圧電素子６や整流回路２１と絶縁されているので、第２信号線路２２により伝送される出力信号をそのまま送信回路１７に与えることができ、さらに、送信回路１７は、第２信号線路２２により伝送される出力信号をそのまま無線送信することができる。この結果、送信回路１７は、精度のよい出力信号を送信することができる。
【００４６】
以上のように、分離回路１５は、トランス２０と整流回路２１とによって、圧電素子６から与えられる出力信号を電力として送信回路１７に与えるための信号と、送信対象の信号である送信信号として送信回路１７に与えるための信号とに分離する。
【００４７】
送信回路１７は、分離回路１５から与えられる出力信号に対してＦＭ変調（アナログ変調）を行う。第２信号線路２２には、シリーズレギュレータ１６の出力端から延びている分岐路２３が接続されている。分岐路２３には、第１抵抗２４が接続されている。さらに、第２信号線路２２には、第２抵抗２５が接続されている分岐路２６が接続されている。分岐路２６は、一端が第２信号線路２２に接続され、他端が接地されている。第２信号線路２２に与えられる出力信号には、分岐路２３、分岐路２６、第１抵抗２４、及び第２抵抗２５によって、所定のバイアス電圧が与えられる。
【００４８】
送信回路１７は、分離回路１５から整流された信号が電力として与えられることで無線送信を行うことができる。
送信回路１７は、第２信号線路２２を通じて送信信号として与えられる出力信号に対してＦＭ変調を行う。送信回路１７は、ＦＭ変調した出力信号を送信アンテナ１８に与える。
送信アンテナ１８は、送信回路１７から与えられるＦＭ変調された出力信号を無線信号として空間に放射する。
これによって、送信機８（送信部１２）は、圧電素子６の出力信号を無線送信する。
例えば、本実施形態の送信回路１７は、数百ＭＨｚの搬送波を出力信号によってＦＭ変調するように構成されている。
【００４９】
本実施形態によれば、送信機８及び電子ドラム２が蓄電池等を備えることなく、精度のよい出力信号（入力信号）を無線送信することができる。この結果、出力信号のための信号線の配線作業や、蓄電池等のメンテナンス作業といった煩雑な作業を行うことなく、容易に信号送信可能とすることができる。
【００５０】
また、送信機８は、圧電素子６が出力する出力信号が与えられる出力ジャック７に接続可能とされ、出力ジャック７に接続されて出力信号を入力信号として受け付ける接続プラグ１０を備えている。これにより、送信機８は、電子ドラム２等の出力ジャック７を備えた機器に接続することが可能となり、当該機器が備えている圧電素子６が出力する出力信号を入力信号として受け付けて電力を生成するとともに、出力信号を無線送信することができる。
よって、送信機８は、信号を送信する機能を有していない電子ドラム２等の機器に接続されれば、本来信号を無線送信することができない機器が出力する出力信号を無線送信することができる。
【００５１】
また、本実施形態の送信機８の接続プラグ１０は、２つの圧電素子６ａ、６ｂからの出力信号が与えられる出力ジャック７に接続可能とされるとともに、２つの圧電素子６ａ、６ｂからの出力信号それぞれを入力信号として受け付けるように構成されている。よって、送信機８には、送信部１２が、２つの圧電素子６ａ、６ｂに対応して複数設けられている。
このため、接続プラグ１０が受け付けた２つの圧電素子６ａ、６ｂによる出力信号それぞれを電力とするとともに、複数の出力信号を無線送信することができる。
【００５２】
上述したように、送信機８は、２つの送信部１２を有しており、送信機８は、さらに、他の電子ドラム２にも設けられている。よって、各電子ドラム２に設けられている各送信機８の送信部１２は、互いに重複する期間に無線送信することがある。
ここで、各送信部１２が同じ周波数の搬送波を用いて互いに重複する期間に無線送信すれば、互いに干渉が生じ、これを受信する受信機１１側で元の出力信号を取り出すことができなくなる可能性が生じる。このため、各送信部１２は、互いに異なる搬送波周波数（互いに異なる占有帯域幅）を用いて無線送信を行う。
【００５３】
図６は、受信機１１の一例を示すブロック図である。
図６に示すように、受信機１１は、受信アンテナ３０と、ＲＦ回路３１と、アナログ−デジタル変換器（ＡＤＣ：Ａｎａｌｏｇ−ｔｏ−Dｉｇｉｔａｌ  Ｃｏｎｖｅｒｔｅｒ）３２と、分離部３３とを備えている。
受信アンテナ３０は、送信機８が送信する無線信号を受信する機能を有している。上述したように、各送信機８の送信部１２は、互いに重複する期間に無線送信することがある。従って、受信アンテナ３０は、複数の送信部１２が送信する無線信号を重複して受信する。
受信アンテナ３０は、受信した無線信号を受信信号としてＲＦ回路３１に与える。
【００５４】
ＲＦ回路３１は、受信アンテナ３０から与えられる受信信号を増幅するとともに、受信信号の周波数をより低い周波数に周波数変換する機能を有している。ＲＦ回路３１は、周波数変換した受信信号を、後段に接続されたアナログ−デジタル変換器３２（以下、ＡＤＣ３２ともいう）に与える。
なお、受信信号の周波数は、送信機８が無線送信した無線信号の搬送波周波数である数百ＭＨｚである。ＲＦ回路３１は、周波数が数百ＭＨｚである受信信号を、例えば、数〜数十ＭＨｚにまで周波数変換する。
【００５５】
ＡＤＣ３２は、ＲＦ回路３１から与えられるアナログ信号である受信信号をデジタル信号に変換する。ＡＤＣ３２は、デジタル信号に変換した受信信号を後段の分離部３３に与える。
【００５６】
分離部３３は、ＡＤＣ３２から与えられる受信信号から各送信部１２それぞれに対応する複数の出力信号を分離する。
分離部３３には、出力プラグ３５が設けられており、出力プラグ３５を介してシンセサイザ３に接続されている。分離部３３は、分離した複数の出力信号を出力プラグ３５を通じてシンセサイザ３に与える。
【００５７】
図７は、分離部３３の構成を示すブロック図である。
図７において、分離部３３は、高速フーリエ変換器（ＦＦＴ：Ｆａｓｔ  Ｆｏｕｒｉｅｒ  Ｔｒａｎｓｆｏｒｍ）４０と、切替部４１と、復調部４２とを備えている。
【００５８】
高速フーリエ変換器４０（以下、ＦＦＴ４０ともいう）は、受信信号から各送信部１２それぞれに対応する複数の出力信号を分離する。
ここで、受信信号には、互いに異なる搬送波周波数を用いて無線送信された出力信号が複数含まれていることがある。
そこで、ＦＦＴ４０は、ＡＤＣ３２から与えられる受信信号に対して高速フーリエ変換を行い、当該受信信号に含まれる複数の出力信号を周波数分離する。
ＦＦＴ４０は、受信信号から分離した複数の出力信号を後段の切替部４１に与える。
切替部４１は、ＦＦＴ４０から与えられた複数の出力信号を後段の復調部４２に与える。
【００５９】
ＦＦＴ４０によって分離された複数の出力信号は、ＲＦ回路３１によって周波数変換されているが未だＦＭ変調された状態である。よって、復調部４２は、切替部４１から与えられるＦＭ変調された複数の出力信号を復調し、復調された複数の出力信号を取得する。
【００６０】
復調部４２は、第１ＦＭ復調器４３ａ、第２ＦＭ復調器４３ｂ、第３ＦＭ復調器４３ｃ、第４ＦＭ復調器４３ｄ・・・、第１ＡＭ復調器４３ｅ、第２ＡＭ復調器４３ｆ・・・といったように、複数のアナログ復調器４３を備えている。
【００６１】
例えば、第１ＦＭ復調器４３ａは、切替部４１から複数の出力信号の内の一つが与えられると、この与えられた出力信号に対してＦＭ復調を行う。第１ＦＭ復調器４３ａは、ＦＭ復調した出力信号を出力プラグ３５に与える。
【００６２】
本実施形態の受信機１１は、出力プラグ３５を複数備えている。各出力プラグ３５は、２つの復調器４３から出力信号を受け付け、受け付けた２つの復調器４３からの出力信号を出力することができるように構成されている。
【００６３】
第１ＦＭ復調器４３ａは、複数の出力プラグ３５の内の一の出力プラグである第１出力プラグ３５ａに接続されており、第１出力プラグ３５ａに出力信号を与える。
【００６４】
また、第２ＦＭ復調器４３ｂは、切替部４１から複数の出力信号の内の一つが与えられると、この与えられた出力信号に対してＦＭ復調を行う。第２ＦＭ復調器４３ｂは、第１出力プラグ３５ａに接続されており、ＦＭ復調した出力信号を第１出力プラグ３５ａに与える。
また、第３ＦＭ復調器４３ｃ及び第４ＦＭ復調器４３ｄは、切替部４１から複数の出力信号の内の一つが与えられると、この与えられた出力信号に対してＦＭ復調を行う。第３ＦＭ復調器４３ｃ及び第４ＦＭ復調器４３ｄは、第２出力プラグ３５ｂに接続されており、ＦＭ復調した出力信号を第２出力プラグ３５ｂに与える。
【００６５】
さらに、第１ＡＭ復調器４３ｅ及び第２ＡＭ復調器４３ｆは、切替部４１から複数の出力信号の内の一つが与えられると、この与えられた出力信号に対してＡＭ復調を行う。第１ＡＭ復調器４３ｅ及び第２ＡＭ復調器４３ｆは、第３出力プラグ３５ｃに接続されており、ＡＭ復調した出力信号を第３出力プラグ３５ｃに与える。
【００６６】
このように、各アナログ復調器４３は、切替部４１から出力信号が与えられると、複数の出力プラグ３５の内、予め接続された一の出力プラグ３５に対してアナログ復調した出力信号を与える。
【００６７】
また、複数のアナログ復調器４３は、ＦＭ復調するＦＭ復調器と、ＡＭ復調するＡＭ復調器の両方を含んでいるので、分離された出力信号の変調方式に応じて復調することができる。
【００６８】
ここで、切替部４１は、ＦＦＴ４０から与えられた複数の出力信号を各アナログ復調器４３のいずれかに分配する。
切替部４１は、複数の出力信号を複数のアナログ復調器４３の内のいずれに与えるかについて、当該切替部４１が予め記憶しているテーブルに基づいて、複数の出力信号を各アナログ復調器４３のいずれに分配するかを切り替える。
【００６９】
図８は、切替部４１が記憶しているテーブルの一例を示す図である。
図８中、テーブルには、出力信号の周波数、アナログ復調器４３を特定するための情報、及び出力プラグ３５を特定するための情報が関連付けて登録されている。なお、図８中、「復調器」の欄には、アナログ復調器４３を特定するための情報が登録されるが、図８では、「第１ＦＭ復調器」、「第２ＦＭ復調器」などと省略して記載している。また、「出力先」の欄には、出力プラグ３５を特定するための情報が登録されるが、図８では、「第１出力プラグ」、「第２出力プラグ」などと省略して記載している。
【００７０】
このテーブルには、出力信号の周波数と、その周波数の出力信号が与えられるアナログ復調器４３、及び出力プラグ３５が対応付けて登録されている。
【００７１】
例えば、周波数がｆ１である出力信号が切替部４１に与えられると、切替部４１は、与えられた周波数がｆ１である出力信号を第１ＦＭ復調器４３ａに与える。第１ＦＭ復調器４３ａは、第１出力プラグ３５ａに接続されているので、第１ＦＭ復調器４３ａによって復調された出力信号は、第１出力プラグ３５ａに与えられて第１出力プラグ３５ａから出力される。
【００７２】
また、周波数がｆ３である出力信号が切替部４１に与えられると、切替部４１は、与えられた周波数がｆ３である出力信号を第３ＦＭ復調器４３ｃに与える。第３ＦＭ復調器４３ｃは、第２出力プラグ３５ｂに接続されているので、第３ＦＭ復調器４３ｃによって復調された出力信号は、第２出力プラグ３５ｂに与えられて第２出力プラグ３５ｂから出力される。
【００７３】
周波数がｆ５である出力信号が切替部４１に与えられると、切替部４１は、与えられた周波数がｆ５である出力信号を第１ＡＭ復調器４３ｅに与える。第１ＡＭ復調器４３ｅは、第３出力プラグ３５ｃに接続されているので、第１ＡＭ復調器４３ｅによって復調された出力信号は、第３出力プラグ３５ｃに与えられて第３出力プラグ３５ｃから出力される。
【００７４】
このように、切替部４１は、ＦＦＴ４０から与えられた複数の出力信号を各アナログ復調器４３のいずれに分配し、複数の出力プラグ３５の内のいずれから出力するかを、出力信号の周波数に応じて切り替える。
このように、出力信号の周波数に応じて切り替えることで、出力信号を出力する出力プラグ３５を送信機８（の送信部１２）ごとに区別して容易に割り振ることができる。
【００７５】
また、出力信号の周波数を変調方式に対応付けて設定することで、複数のアナログ復調器４３の中から、対象の出力信号に適切な復調器に切り替えることができ、変調方式に応じて適切に復調することができる。
【００７６】
なお、切替部４１が各出力信号を出力する出力プラグ３５の切り替えに用いる出力信号の周波数は、ＲＦ回路３１によって周波数変換された後の周波数である。
よって、ＲＦ回路３１によって周波数変換された後における、各送信機８それぞれに対応する出力信号の周波数を予め把握しておく。上記テーブルに登録される内容は、周波数変換後における各送信機８それぞれに対応する出力信号の周波数に基づいて設定される。
【００７７】
図７に戻って、複数の出力プラグ３５は、シンセサイザ３に設けられた複数の入力ジャック１３に差し込まれ、シンセサイザ３に接続される。各入力ジャック１３は、出力プラグ３５から与えられる２つの復調器４３からの出力信号を受け付けることができるように構成されている。
シンセサイザ３は、複数の入力ジャック１３から与えられる複数の出力信号に基づいて楽器音信号を生成する。
【００７８】
シンセサイザ３は、複数の入力ジャック１３（１３ａ、１３ｂ、１３ｃ・・・）それぞれに与えられる出力信号ごとに楽器音信号を生成する。
【００７９】
例えば、ＲＦ回路３１による周波数変換後の送信部１２ａ（図２）に対応する出力信号の周波数がｆ１であるとする。
この場合、送信部１２ａに対応する出力信号は、テーブル（図８）に従い、切替部４１によって第１ＦＭ復調器４３ａに与えられ、第１出力プラグ３５ａから出力される。
よって、送信部１２ａに対応する出力信号は、第１出力プラグ３５ａを通じて、シンセサイザ３の入力ジャック１３ａに与えられる。
【００８０】
また、ＲＦ回路３１による周波数変換後の送信部１２ｂ（図２）に対応する出力信号の周波数がｆ２であるとする。
この場合、送信部１２ｂに対応する出力信号は、テーブル（図８）に従い、切替部４１によって第２ＦＭ復調器４３ｂに与えられ、第１出力プラグ３５ａから出力される。
よって、送信部１２ｂに対応する出力信号は、第１出力プラグ３５ａを通じて、シンセサイザ３の入力ジャック１３ａに与えられる。
【００８１】
送信部１２ａ、１２ｂは、上述したように、電子ドラム２ａの演奏に基づいた圧電素子６ａ、６ｂ（図２）の出力信号について無線送信する。
よって、第１出力プラグ３５ａからは、電子ドラム２ａが出力した出力信号が出力される。
【００８２】
この場合、シンセサイザ３には、第１出力プラグ３５ａが接続される入力ジャック１３ａを通じて電子ドラム２からの出力信号が与えられる。これにより、シンセサイザ３は、電子ドラム２ａに応じた楽器音信号を生成する。
また、他の電子ドラム２についても電子ドラム２ａと同様であり、シンセサイザ３には、入力ジャック１３を通じて他の電子ドラム２からの出力信号が与えられ、シンセサイザ３は、各電子ドラム２に応じた楽器音信号を生成する。
【００８３】
電子ドラム２の出力ジャック７（図２）と、シンセサイザ３の入力ジャック１３とは、例えば、信号線によって有線接続が可能である。
しかし、本実施形態では、信号線に代えて、送信機８及び受信機１１を接続することによって、電子ドラム２と、シンセサイザ３との間を無線通信によって接続している。
【００８４】
本実施形態のシステムは、演奏動作による入力を電気信号に変換する圧電素子６を備えた電子ドラム２と、圧電素子６が出力する出力信号に基づいて楽器音信号を生成するシンセサイザ３との間の通信システムであって、圧電素子６が出力する出力信号が入力信号として与えられる送信機８と、送信機８が送信する無線信号を受信して得た受信信号から出力信号を取得してシンセサイザ３に与える受信機１１とを備えている。
【００８５】
この構成によれば、上述のように送信機８が精度のよい出力信号を無線送信することができるので、通信システム全体としても、精度のよい信号の送受信を可能にすることができる。
【００８６】
また、本実施形態では、電子ドラム２は複数であり、送信機８も電子ドラム２に対応して複数（電子ドラム２に対して２つずつ）であり、受信機１１は、受信信号から複数の送信機８それぞれに対応する複数の出力信号を分離する分離部３３と、複数の出力信号をシンセサイザ３に出力する複数の出力端子としての複数の出力プラグ３５とを備えている。
分離部３３は、受信信号から複数の送信機８の出力信号を分離するので、複数の送信機８に対応する電子ドラム２ごとの出力信号をシンセサイザ３に与えることができる。この結果、シンセサイザ３に電子ドラム２ごとの楽器音を発生させることができる。
【００８７】
さらに、分離部３３が有する切替部４１は、上記テーブル（図８）を記憶しており、このテーブルに基づいてＦＦＴ４０から与えられた複数の出力信号を各アナログ復調器４３のいずれに分配し、複数の出力プラグ３５の内のいずれから出力するかを切り替えるように構成されているので、このテーブルを変更することにより、各送信機８が送信する出力信号を出力させるための出力プラグ３５の変更を容易に行うことができる。
【００８８】
また、本実施形態のシステムにおいて、奏者が電子ドラム２を打撃し圧電素子６から出力信号が出力されてから、無線通信を介してシンセサイザ３に到達し、楽器音が出力されるときまでの間で、遅延が生じると、奏者の演奏に支障を来すおそれが考えられる。
【００８９】
この点、本実施形態では、送信部１２の送信回路１７が、出力信号から取り出された出力信号に対してＦＭ変調（アナログ変調）を行い、受信機１１に無線送信するので、例えば、デジタル変調と比較して、出力信号の無線送信に伴う変復調等の処理による遅延をできるたけ抑圧することができる。このため、奏者が電子ドラム２を打撃したときから、楽器音が出力されるときまでの間に大きな遅延が生じるのを抑制することができる。
【００９０】
図９は、本実施形態の電子ドラムセット１を用い、電子ドラム２の圧電素子６が出力信号を出力してから、受信機１１が出力信号を出力するまでの遅延時間を測定した結果の一例を示す図である。図中、上側に示す波形は圧電素子６の出力信号の波形、下側に示す波形は受信機１１が出力した出力信号の波形である。両波形は、時間軸方向にタイミングが一致するように示されている。
【００９１】
図に示すように、本測定結果では、圧電素子６が出力信号を出力してから、受信機１１が対応する出力信号を出力するまでの遅延時間は、９００マイクロ秒であった。
一般に、１ミリ秒以上遅延すると、奏者の演奏に影響を与えると考えられるが、本実施形態の電子ドラムセット１では、遅延が１ミリ秒よりも小さく抑制されており、奏者の演奏に影響を与えない程度に遅延が抑制されていることが判る。
【００９２】
さらに、本実施形態では、送信部１２の送信回路１７がアナログ変調によって無線送信するように構成されていることで、出力信号の変調に要する消費電力もできるだけ抑圧することもできる。
【００９３】
なお、上記実施形態では、送信回路１７がＦＭ変調によって無線送信する場合を示したが、ＡＭ変調によって無線送信するように構成してもよい。
この場合、ＡＭ変調されて無線送信される出力信号は、切替部４１によって第１ＡＭ復調器４３ｅ又は第２ＡＭ復調器４３ｆに与えられる。
【００９４】
また、上記実施形態では、送信機８が、２つの送信部１２を備えている場合を示したが、少なくとも１つの送信部１２を備えていればよく、３つ以上の送信部１２を備える構成としてもよい。
【００９５】
また、上記実施形態では、送信機８が電子ドラム２の外部に取り付けられる場合を例示したが、例えば、図１０に示すように、ドラムパッド５が取り付けられている電子ドラム２の外枠１４の内周面１４ａに送信機８を固定し、電子ドラム２の内部に送信機８を設けてもよい。
【００９６】
〔第２実施形態について〕
図１１は、第２実施形態に係る通信システムを含んだ防犯装置を示す図である。図１１中、防犯装置５０は、引き戸６０の開閉を検出して報知する装置である。
防犯装置５０は、引き戸６０の上桟６０ａに固定された多数の磁石５１と、検出コイル５２と、報知装置５３と、検出コイル５２が接続されている送信機８と、報知装置５３が接続されている受信機１１とを備えている。
【００９７】
磁石５１は、当該引き戸６０の開閉方向に沿って等間隔に配置されており、当該引き戸６０と一体に移動する。
検出コイル５２は、引き戸６０の上桟６０ａの上側に固定されており、引き戸６０の開閉方向に移動する多数の磁石５１に対して対向しうる位置に配置されている。
引き戸６０がその開閉によって移動すると、開閉方向に沿って等間隔に配置されている各磁石５１は、検出コイル５２の検出面５２ａに対して対向する位置に順次移動し、通過していく。
【００９８】
検出コイル５２は、磁石５１が移動することによって生じさせる磁界の変化によって誘導電流を生じさせる。つまり、検出コイル５２は、引き戸６０が開閉されて磁石５１が移動すると、誘導電流を生じさせ電気信号を出力信号として出力する。よって、検出コイル５２は、引き戸６０が開閉されると、その検出結果として出力信号を出力する。
【００９９】
検出コイル５２の出力信号は、入力信号として送信機８に与えられる。
本実施形態の送信機８及び受信機１１は、上記第１実施形態において示した送信機８及び受信機１１と同じ構成である。
よって、送信機８は、出力信号を無線送信して受信機１１に与える。
受信機１１は、送信機８から送信された出力信号を報知装置５３に与える。
報知装置５３は、この出力信号に応じて引き戸６０の開閉を報知する。
【０１００】
本実施形態の場合も、送信機８は、入力信号である検出コイル５２の出力信号を整流した信号を電力として用いるとともに、送信信号として与えられる出力信号を無線送信するので、送信機８及び検出コイル５２が蓄電池等を備えることなく、信号を無線送信することができる。この結果、出力信号を出力するための信号線の配線作業や、蓄電池等のメンテナンス作業といった煩雑な作業を行うことなく、容易に信号送信可能とすることができる。
【０１０１】
〔その他〕
本発明は、上記実施形態に限定されない。
上記第１実施形態では、電子ドラムセット１に通信システムを適用した場合を示したが、エレキギター等、信号線によって音源装置等に接続する必要がある他の電子楽器に対しても適用することができる。
【０１０２】
また、上記第１実施形態では、送信機８のアナログ変調方式としてＦＭ変調及びＡＭ変調を採用した場合を例示したが、位相変調等、他のアナログ変調を採用することができる。
【０１０３】
また、上記第１実施形態では、入力される入力エネルギを電気信号に変換する変換素子として圧電素子６を用いた場合を示したが、例えば、光エネルギを電気信号に変換する光電池（太陽電池）を変換素子として用いてもよいし、熱エネルギを電気信号に変換するペルチェ素子を変換素子として用いてもよい。
【符号の説明】
【０１０４】
１  電子ドラムセット        ２、２ａ  電子ドラム        ３  シンセサイザ
４  スピーカ                ５  ドラムパッド            ５ａ  表面
６、６ａ、６ｂ  圧電素子    ７  出力ジャック            ７ａ  孔部
８  送信機                  ９  基板                    １０  接続プラグ
１１  受信機                １２、１２ａ、１２ｂ  送信部
１３、１３ａ  入力ジャック  １４  外枠                  １４ａ  内周面
１５  分離回路              １６  シリーズレギュレータ  １７  送信回路
１８  送信アンテナ          ２０  トランス              ２１  整流回路
２２  線路                  ２３  分岐路                ２４  第１抵抗
２５  第２抵抗              ２６  分岐路                ３０  受信アンテナ
３１  ＲＦ回路              ３２  デジタル変換器        ３３  分離部
３５  出力プラグ            ３５ａ  第１出力プラグ      ３５ｂ  第２出力プラグ
３５ｃ  第３出力プラグ      ４０  高速フーリエ変換器    ４１  切替部
４２  復調部                ４３  アナログ復調器        ４３ａ  第１ＦＭ復調器
４３ｂ  第２ＦＭ復調器      ４３ｃ  第３ＦＭ復調器      ４３ｄ  第４ＦＭ復調器
４３ｅ  第１ＡＭ復調器      ４３ｆ  第２ＡＭ復調器      ５０  防犯装置
５１  磁石                  ５２  検出コイル            ５２ａ  検出面
５３  報知装置              ６０  引き戸                ６０ａ  上桟
【図１】
0006792277.tif 000002
【図２】
0006792277.tif 000003
【図３】
0006792277.tif 000004
【図４】
0006792277.tif 000005
【図５】
0006792277.tif 000006
【図６】
0006792277.tif 000007
【図７】
0006792277.tif 000008
【図８】
0006792277.tif 000009
【図９】
0006792277.tif 000010
【図１０】
0006792277.tif 000011
【図１１】
0006792277.tif 000012